(57)【要約】      （修正有）【課題】基地局、移動局、及び基地局によって実行される下りリンクスケジューリング方法を提供する。【解決手段】基地局は、下りリンクリソースブロックと、ストリーム数と、アンテナポートと、アンテナポートのためのスクランブリング識別子とを移動局に割り当て、ストリーム数、アンテナポート、及びスクランブリング識別子の組み合わせを、下りリンクスケジューリング情報内に含める際に、移動局の下りリンクリソースブロックでの連続干渉キャンセル順番を確定するように配置するＳ７０１。下りリンクリソースブロックを指示する情報と、ストリーム数、アンテナポート、及びスクランブリング識別子を指示する情報とを含む下りリンクスケジューリング情報を移動局に送信するＳ７０２。【選択図】図７
2016163355.tif 000002
【特許請求の範囲】
【請求項１】
下りリンクリソースブロックと、ストリーム数と、アンテナポートと、該アンテナポートに用いられるスクランブリング識別子と、を移動局に割り当て、その中に、前記ストリーム数、アンテナポート、及びスクランブリング識別子の組合は、該移動局の下りリンクリソースブロックでの連続干渉キャンセル順番を確定するものであるように構成されるスケジューリング部と、
下りリンクスケジューリング情報を該移動局に送信し、前記下りリンクスケジューリング情報は、前記下りリンクリソースブロックを指示する情報と、前記ストリーム数、アンテナポート、及びスクランブリング識別子を指示する情報と、を含むように構成される送信部と、を含む基地局。
【請求項２】
前記スケジューリング部は、前記基地局と前記移動局の両方ともに既知される規則に従って、前記ストリーム数、アンテナポート、及びスクランブリング識別子を割り当てる請求項１に記載の基地局。
【請求項３】
前記規則は、前記ストリーム数が１である時にアンテナポートとスクランブリング識別子との全ての組合と対応の連続干渉キャンセル順番との間のマッピング、及び前記ストリーム数が２である時にアンテナポートとスクランブリング識別子との全ての組合と対応の連続干渉キャンセル順番との間のマッピングを含む請求項２に記載の基地局。
【請求項４】
前記送信部は、さらに、無線リソース制御シグナリングによって前記規則を該移動局に通知するように構成される請求項２に記載の基地局。
【請求項５】
前記下りリンクスケジューリング情報は、さらに、該移動局のためのプリコーディング行列に関する情報と、該移動局のための変調と符号化方式に関する情報と、該移動局のための復調参照信号に関する情報との少なくとも１つを含む請求項１又は２に記載の基地局。
【請求項６】
前記送信部は、さらに、専用シグナリングによって、該移動局と同じリソースブロック内に多重される、他の１つの移動局のための変調と符号化方式に関する情報を該移動局に送信するように構成される請求項５に記載の基地局。
【請求項７】
前記送信部は、さらに、復調参照信号を該移動局に送信することで、該移動局が該復調参照信号の電力に基いて該移動局に割り当てる送信電力を確定する請求項５又は６に記載の基地局。
【請求項８】
基地局によって実行される下りリンクスケジューリング方法であり、
下りリンクリソースブロックと、ストリーム数と、アンテナポートと、該アンテナポートのためのスクランブリング識別子とを移動局に割り当て、その中に、前記ストリーム数、アンテナポート、及びスクランブリング識別子の組合は、該移動局の下りリンクリソースブロックでの連続干渉キャンセル順番を確定するステップと、
下りリンクスケジューリング情報を該移動局に送信し、前記下りリンクスケジューリング情報は、前記下りリンクリソースブロックを指示する情報と、前記ストリーム数、アンテナポート、及びスクランブリング識別子を指示する情報とを含むステップと、を含む方法。
【請求項９】
前記基地局と前記移動局の両方ともに既知される規則に従って、前記ストリーム数、アンテナポート、及びスクランブリング識別子を割り当てる請求項８に記載の方法。
【請求項１０】
前記規則は、前記ストリーム数が１である時にアンテナポートとスクランブリング識別子と全ての組合と対応の連続干渉キャンセル順番との間のマッピング、及び前記ストリーム数が２である時にアンテナポートとスクランブリング識別子との全ての組合と対応の連続干渉キャンセル順番との間のマッピングを含む請求項９に記載の方法。
【請求項１１】
無線リソース制御シグナリングによって、前記規則を該移動局に通知するステップをさらに含む請求項９に記載の方法。
【請求項１２】
前記下りリンクスケジューリング情報は、該移動局のためのプリコーディング行列に関する情報と、該移動局のための変調と符号化方式に関する情報と、該移動局のための復調参照信号に関する情報との少なくとも１つを含む請求項８又は９に記載の方法。
【請求項１３】
専用シグナリングによって、該移動局と同じリソースブロック内に多重される他の一つの移動局のための変調と符号化方式に関する情報を、該移動局に送信するステップをさらに含む請求項１２に記載の方法。
【請求項１４】
復調参照信号を該移動局に送信することで、該移動局が該復調参照信号の電力に基いて該移動局に割り当てる送信電力を確定するステップをさらに含む請求項１２又は１３に記載の方法。
【請求項１５】
基地局によって送信される下りリンクスケジューリング情報を受信し、該下りリンクスケジューリング情報は、該移動局に割り当てる下りリンクリソースブロックを指示する情報と、該移動局に割り当てるストリーム数、アンテナポート、及び該アンテナポートのためのスクランブリング識別子を指示する情報とを含むように構成される受信部と、
前記ストリーム数、アンテナポート、及びスクランブリング識別子の組合に基いて、該移動局の下りリンクリソースブロックでの連続干渉キャンセル順番を確定するように構成される確定部と、を含む移動局。
【請求項１６】
前記確定部は、前記基地局と前記移動局の両方ともに既知される規則に従って、前記ストリーム数、アンテナポート、及びスクランブリング識別子の組合に基いて、該移動局の下りリンクリソースブロックでの連続干渉キャンセル順番を確定する、請求項１５に記載の移動局。
【請求項１７】
前記規則は、前記ストリーム数が１である時にアンテナポートとスクランブリング識別子との全ての組合と対応の連続干渉キャンセル順番との間のマッピング、及び前記ストリーム数が２である時にアンテナポートとスクランブリング識別子との全ての組合と対応の連続干渉キャンセル順番との間のマッピングを含む、請求項１６に記載の移動局。
【請求項１８】
前記受信部は、さらに、無線リソース制御シグナリングによって、基地局から通知される前記規則を受信するように構成される、請求項１６に記載の移動局。
【請求項１９】
前記下りリンクスケジューリング情報は、該移動局のためのプリコーディング行列に関する情報と、該移動局のための変調と符号化方式に関する情報と、該移動局のための復調参照信号に関する情報との少なくとも１つをさらに含む請求項１５又は１６に記載の移動局。
【請求項２０】
前記受信部は、さらに、専用シグナリングによって、基地局によって送信される、該移動局と同じリソースブロック内に多重される他の一つの移動局のための変調と符号化方式に関する情報を受信するように構成される請求項１９に記載の移動局。
【請求項２１】
前記受信部は、基地局によって送信される復調参照信号をさらに受信し、且つ、前記確定部が該復調参照信号の電力に基いて該移動局に割り当てる送信電力を確定する請求項１９又は２０に記載の移動局。
【発明の詳細な説明】
【技術分野】
【０００１】
本発明は、無線通信分野に関し、具体的に、無線通信システム（例えば、非直交多元接続（ＮＯＭＡ）とダイナミックシングルユーザ／マルチユーザ多入力多出力（ＭＩＭＯ）を組み合わせて使用する無線通信システム）において使用可能な基地局、移動局及び下りリンクスケジューリング方法に関する。
【背景技術】
【０００２】
非直交多元接続（ＮＯＭＡ）は、３ＧＰＰ（Third Generation Partnership Project）で検討したＬＴＥ（Long Term Evolution）ｒｅｌｅａｓｅ  １３に提案された無線アクセス技術である。ＮＯＭＡシステムでは、送信側において、基地局がリソースブロック毎に異なる電力レベルで複数の移動局のためのデータを多重してシステムスループットを向上し、受信側において、各移動局がその連続干渉キャンセル（ＳＩＣ）順番に従って自身のデータを復調する。なお、前記ＳＩＣ順番は、それぞれのリソースブロックに多重された各移動局のためのデータの復調順番を示す。
【０００３】
未来の５Ｇ技術において、システムのピークデータレートとスループットをさらに向上するために、ＮＯＭＡとダイナミックシングルユーザ／マルチユーザ多入力多出力（ＳＵ／ＭＵ  ＭＩＭＯ）を組み合わせて使用する無線通信システムが提案され、該システムでは、リソースブロックごとに異なる電力レベルを使用して複数の移動局のためのデータを送信し、且つ、各電力レベルにＭＩＭＯ（ＳＵ  ＭＩＭＯ又はＭＵ  ＭＩＭＯ）を独立に適用することで、一つ又は複数の移動局のためのデータを送信する。
【０００４】
ＬＴＥ−Ａｄｖａｎｃｅｄ通信システムでは、基地局で行われた下りリンクスケジューリングの結果を通知するための下りリンクスケジューリング情報（下りリンクスケジューリンググラントも呼ぶ）が定義されており、しかし、ＬＴＥ−Ａｄｖａｎｃｅｄ通信システムで定義された下りリンクスケジューリングシグナリングは、ＮＯＭＡに対応しなく、ダイナミックＳＵ／ＭＵ  ＭＩＭＯだけに対応するので、ＮＯＭＡとダイナミックＳＵ／ＭＵ  ＭＩＭＯを組み合わせて使用する無線通信システムに適用されない。
【発明の概要】
【課題を解決するための手段】
【０００５】
本発明の１つの方面によれば、基地局を提供し、前記基地局は、下りリンクリソースブロックと、ストリーム数と、アンテナポートと、該アンテナポートのためのスクランブリング識別子とを移動局に割り当て、その中に、前記ストリーム数、アンテナポート、及びスクランブリング識別子の組合は、該移動局の下りリンクリソースブロックでの連続干渉キャンセル順番を確定するように配置されるスケジューリング部と、下りリンクスケジューリング情報を該移動局に送信し、前記下りリンクスケジューリング情報は、前記下りリンクリソースブロックを指示する情報と、前記ストリーム数、アンテナポート、及びスクランブリング識別子を指示する情報とを含むように配置される送信部とを含む。
【０００６】
本発明の他の一つの方面によれば、基地局によって実行される下りリンクスケジューリング方法を提供し、前記方法は、下りリンクリソースブロックと、ストリーム数と、アンテナポートと、該アンテナポートのためのスクランブリング識別子とを移動局に割り当て、その中に、前記ストリーム数、アンテナポート、及びスクランブリング識別子の組合は、該移動局の下りリンクリソースブロックでの連続干渉キャンセル順番を確定するステップと、下りリンクスケジューリング情報を該移動局に送信し、前記下りリンクスケジューリング情報は、前記下りリンクリソースブロックを指示する情報と、前記ストリーム数、アンテナポート、及びスクランブリング識別子を指示する情報とを含むステップとを含む。
【０００７】
本発明のもう他の一つの方面によれば、移動局を提供し、前記移動局は、基地局によって送信される下りリンクスケジューリング情報を受信し、該下りリンクスケジューリング情報は、該移動局に割り当てる下りリンクリソースブロックを指示する情報と、該移動局に割り当てるストリーム数、アンテナポート、及び該アンテナポートのためのスクランブリング識別子を指示する情報とを含むように配置される受信部と、前記ストリーム数、アンテナポート、及びスクランブリング識別子の組合に基いて、該移動局の下りリンクリソースブロックでの連続干渉キャンセル順番を確定するように配置される確定部とを含む。
【発明の効果】
【０００８】
本発明の上記方面にかかる基地局、下りリンクスケジューリング方法、及び移動局を利用すれば、下りリンクスケジューリング情報に含まれる移動局に割り当てるストリーム数、アンテナポート、及び該アンテナポートのためのスクランブリング識別子の組合によって、該移動局の下りリンクリソースブロックでのＳＩＣ順番を確定することで、基地局が専用のシグナリングを使用して前記ＳＩＣ順番を送信することが必要なく、それにより、シグナリングオーバーヘッドをできるだけ小さく増加して、ＮＯＭＡとダイナミックＳＵ／ＭＵ  ＭＩＭＯを組み合わせて使用する無線通信システムに対応することができるようにする。
【図面の簡単な説明】
【０００９】
図面を参照しながら本発明の実施例を詳しく記述することで、本発明の上記並びに他の目的、特徴、利点は、より明らかになる。
【図１】本発明を応用する実施例の、ＮＯＭＡとダイナミックＳＵ／ＭＵ  ＭＩＭＯを組み合わせて使用する無線通信システムの例を示す。
【図２】本発明の実施例にかかる基地局のブロック図を示す。
【図３】基地局が事前定義の規則に従ってＵＥに割り当てるストリーム数、アンテナポート、及びスクランブリング識別子を確定する第一例を示す。
【図４】基地局が事前定義の規則に従ってＵＥに割り当てるストリーム数、アンテナポート、及びスクランブリング識別子を確定する第二例を示す。
【図５】基地局が事前定義の規則に従ってＵＥに割り当てるストリーム数、アンテナポート、及びスクランブリング識別子を確定する第三例を示す。
【図６】本発明の実施例にかかる移動局のブロック図を示す。
【図７】本発明の実施例にかかる、基地局によって実行される下りリンクスケジューリング方法のフローチャートを示す。
【図８】本発明の実施例にかかる、移動局によって実行される下りリンクスケジューリング結果を取得する方法のフローチャートを示す。
【発明を実施するための形態】
【００１０】
以下、図面を参照しながら、本発明の実施例にかかる無線通信システム、基地局、移動局及び下りリンクスケジューリング方法を記述する。図面においては、同じ参照符号が常に同じ要素を示す。ここで記述される実施例は、模式的なものであり、本発明の範囲を制限するものではないことが理解されるべきである。
【００１１】
まず、図１を参照しながら、本発明の実施例を応用可能な無線通信システムの例を記述し、該無線通信システムは、ＮＯＭＡとダイナミックＳＵ／ＭＵ  ＭＩＭＯを組み合わせて使用する。
【００１２】
図１に示す無線通信システムの例では、基地局と、該基地局と通信する複数のユーザ設備（ＵＥ）とを含む。基地局は、上位層装置（図示せず）に接続され、該上位層装置は、続いてコアネットワーク（図示せず）に接続される。図１には、１つの基地局と三つのＵＥのみが示されたが、これは例示にすぎず、基地局とＵＥは、必要に応じて、より多く存在してもよく、より少なく存在してもよいことが理解されるべきである。また、ここで述べたＵＥは、各種類のユーザ端末を含んでもよく、例えば携帯端末（移動局とも呼ぶ）や固定端末であり、しかし、説明の便宜のために、下文に、ＵＥと移動局が交換可能に使用されることがある。
【００１３】
基地局は、それぞれの下りリンクリソースブロック（例えば、周波数リソースブロック）に対し、各ＵＥにスケジューリングを行うことにより、どれらのＵＥのためのデータを該リソースブロックに多重するかを決定する。例えば、基地局は、各ＵＥからフィードバックされた、ＵＥと基地局の間の無線チャネル状况を反映するチャネル状態情報（ＣＳＩ）に従って、上記スケジューリングを行うことができる。図１に示される例では、基地局は、ＵＥ１、ＵＥ２、及びＵＥ３のためのデータを、同一のリソースブロックに多重することができる。また、基地局は、ＭＵ  ＭＩＭＯにより第一電力レベル（第一電力とも呼ぶ）でＵＥ１とＵＥ２のためのデータを送信し、且つ、ＳＵ  ＭＩＭＯにより第一電力レベルと異なる第二電力レベル（第二電力とも呼ぶ）でＵＥ３のためのデータを送信することができる。中に、ＵＥ１とＵＥ２は、例えば、基地局に近いＵＥ又はセル中心に位置するＵＥであり、ＵＥ３は、例えば、基地局から遠いＵＥ又はセル端に位置するＵＥである。
【００１４】
基地局によって送信されるデータ信号を受信した時に、基地局に近いＵＥ（図１の例で、ＵＥ１又はＵＥ２）は、まず、ＭＩＭＯ検出を行うことで、基地局から遠いＵＥ（図１の例示で、ＵＥ３）のためのデータ信号を復調して取り出し、且つ、連続干渉キャンセル（ＳＩＣ）を行うことで、基地局から遠いＵＥのためのデータ信号をキャンセルし、その後に、残りのデータ信号に対してＭＩＭＯ検出を行うことで、その自身のためのデータ信号を復調して取り出す。一方、基地局から遠いＵＥは、基地局に近いＵＥのための低電力信号を干渉と見なして、ＭＩＭＯ検出を行うことで、その自身のためのデータ信号を復調して取り出す。
【００１５】
ＵＥが上記ＭＩＭＯ検出と連続干渉キャンセルを行わせるために、ＵＥは、該ＵＥに割り当てる下りリンクリソースブロックを指示する情報（例えば、該下りリンクリソースブロックの位置情報）と、該ＵＥのためのプリコーディング行列に関する情報と、該ＵＥのためのデータの変調と符号化方式（ＭＣＳ）に関する情報と、該ＵＥのための復調参照信号（ＤＭＲＳ）に関する情報（例えば、該ＤＭＲＳの位置情報）と、該ＵＥに割り当てる送信電力と、該ＵＥの前記下りリンクリソースブロックでのＳＩＣ順番と、該ＵＥと同じ下りリンクリソースブロック内に多重されるＵＥ（以下、該ＵＥのペアＵＥとも呼ぶ）のためのＭＣＳに関する情報とを知ることが必要である。
【００１６】
上文に述べたように、ＬＴＥ−Ａｄｖａｎｃｅｄ無線通信システムでは、下りリンクスケジューリング結果をＵＥに通知するための下りリンクスケジューリング情報（下りリンクスケジューリンググラントとも呼ぶ）が既に定義されている。例えば、３ＧＰＰ技術規格ＴＳ３６．２１２  ｖ１２．３．０では、下りリンクスケジューリング情報（格式２Ｃ）が定義されている。下りリンクスケジューリング情報（格式２Ｃ）は、上文に述べたＵＥに割り当てる下りリンクリソースブロックに関する情報と、該ＵＥのためのプリコーディング行列に関する情報と、該ＵＥのためのデータのＭＣＳに関する情報と、該ＵＥのためのＤＭＲＳに関する情報とを含み、その中に、該ＵＥのためのデータのＭＣＳに関する情報は、該ＵＥに割り当てるコードワードの数の情報を持ち運ぶことができる。
【００１７】
前記下りリンクスケジューリング情報は、ＵＥに割り当てるストリーム数（つまり、層数）と、アンテナポートと、該アンテナポートのためのスクランブリング識別子（ｓｃｒａｍｂｌｉｎｇ  ｉｄｅｎｔｉｔｙ）と、をさらに含んでもよい。下表１は、下りリンクスケジューリング情報（格式２Ｃ）で定義される、ＵＥに１つのコードワードを割り当てる状況とＵＥに２つのコードワードを割り当てる状況とに、該ＵＥに割り当てる可能性があるアンテナポート、スクランブリング識別子（ｎＳＣＩＤ）、及びストリーム数の全ての組合を示す。前記ストリーム数、アンテナポート、及びスクランブリング識別子は、それぞれに１ビットで表されるので、状況毎に、可能な組合が８種類存在する。
【００１８】
【表１】
2016163355.tif 000003
【００１９】
しかし、前記下りリンクスケジューリング情報（格式２Ｃ）は、ＵＥに割り当てる送信電力と、該ＵＥの前記下りリンクリソースブロックでのＳＩＣ順番と、該ＵＥのペアＵＥのＭＣＳに関する情報とを含まないので、ＮＯＭＡとダイナミックＳＵ／ＭＵ  ＭＩＭＯとを組み合わせて使用する無線通信システムに対応することができない。
【００２０】
本発明の実施例では、上記下りリンクスケジューリング情報を改善した。以下、図面を参照しながら、本発明の実施例を記述する。
【００２１】
まず、図２を参照しながら、本発明の実施例にかかる基地局を記述する。
【００２２】
図２は、本発明の実施例にかかる基地局のブロック図を示す。図２に示すように、基地局２００は、スケジューリング部２０１と送信部２０２を含む。その２つの部以外に、基地局２００は、他の部をさらに含んでもよく、例えば、ＵＥ及び／又は上位層装置と通信するための部を含んでもよい、しかし、これらの部は、本発明の実施例の内容と関係ないので、ここでその図示と記述を省略する。
【００２３】
スケジューリング部２０１は、それぞれのＵＥに下りリンクリソースブロックを割り当てることができる。具体的に、上文に述べたように、スケジューリング部２０１は、それぞれの下りリンクリソースブロックに対し、各ＵＥにスケジューリングを行うことで、どれらのＵＥのためのデータを該リソースブロック中に多重するかを確定する。このために、それぞれのＵＥから基地局にＣＳＩをフィードバックして、スケジューリング部２０１が各ＵＥからフィードバックされたＣＳＩに従って上記スケジューリングを行うことができるようにする。また、各ＵＥからフィードバックされたＣＳＩに基いて、スケジューリング部２０１は、それぞれのリソースブロック中に多重される各ＵＥのためのデータの復調順番（つまり、各ＵＥの該リソースブロックでのＳＩＣ順番）と、各ＵＥに割り当てる送信電力及びＭＣＳとを確定することもできる。相応的に、スケジューリング部２０１は、それぞれのＵＥに対して、そのペアＵＥのＭＣＳを確定することもできる。また、スケジューリング部２０１は、前記ＣＳＩによりそれぞれのＵＥのためのＤＭＲＳの位置を確定することができる。スケジューリング部１０１がＣＳＩにより上記スケジューリングを行うとともにＵＥのＳＩＣ順番、ＤＭＲＳの位置、送信電力、及びＭＣＳを確定する方法は、当分野で公知されるので、ここで、簡潔のために、その記述を省略する。
【００２４】
本発明の実施例において、スケジューリング部２０１は、ストリーム数と、アンテナポートと、該アンテナポートのためのスクランブリング識別子とをＵＥごとに割り当てることで、ＵＥに割り当てる前記ストリーム数、アンテナポート、及びスクランブリング識別子の組合により、該ＵＥの下りリンクリソースブロックでのＳＩＣ順番を確定することができるようにする。換言すれば、スケジューリング部２０１は、それぞれのＵＥの下りリンクリソースブロックでのＳＩＣ順番に従って、ストリーム数、アンテナポート、及びスクランブリング識別子を該ＵＥに割り当てることで、ＵＥ側において前記ストリーム数、アンテナポート、及びスクランブリング識別子の組合に従って該ＵＥの下りリンクリソースブロックでのＳＩＣ順番を確定することができるようにする。
【００２５】
具体的に、スケジューリング部２０１は、事前定義の規則（マッピング規則とも呼ぶ）に従って、前記ストリーム数と、アンテナポートと、スクランブリング識別子とをＵＥに割り当てる。前記規則は、ＵＥに割り当てる前記ストリーム数、アンテナポート、及びスクランブリング識別子の組合と、該ＵＥの下りリンクリソースブロックでのＳＩＣ順番との間のマッピング関係を建てるためのものであり、且つ、基地局とＵＥの両方ともに既知される規則であってもよい。例えば、前記規則を事前に定義し、且つ該規則を基地局とＵＥに記憶してもよい。選択的に、基地局において前記規則を定義し、且つ例えば、無線リソース制御（ＲＲＣ）シグナリングなどの準静的なシグナリングによってこれをＵＥに送信することで、該規則をＵＥに知らせる。基地局は、定期又は非定期に前記事前定義の規則を更新し、且つ前記準静的なシグナリングによって更新後の規則をＵＥに送信してもよい。準静的なシグナリングの送信周期が長いので、前記規則の送信によるシグナリングオーバーヘッドが小さい。
【００２６】
本発明の実施例において、前記規則は、ＵＥに割り当てるストリーム数が１である時にアンテナポートとスクランブリング識別子との全ての組合と対応のＳＩＣ順番（即、下りリンクリソースブロックにおけるＳＩＣ順番）との間のマッピング、及びＵＥに割り当てるストリーム数が２である時にアンテナポートとスクランブリング識別子との全ての組合と対応のＳＩＣ順番との間のマッピングを含む。
【００２７】
例えば、ＮＯＭＡとダイナミックＳＵ／ＭＵ  ＭＩＭＯ（２×２）を組み合わせて使用する無線通信システムにおいて、１つ又は２つの電力レベル（又は電力）を採用してＵＥのためのデータを送信し、且つそれぞれの電力レベルに対して１つ又は２つのストリームを送信し、前記ストリームは、単一のＵＥ（ＳＵ  ＭＩＭＯ）又は複数のＵＥ（ＭＵ  ＭＩＭＯ）のために用いられることができる。このために、このようなシステムにおいて、送信パターンが９種類存在する。相応的に、前記規則は、これらの９種類の送信パターンを、相応のＳＩＣ順番にマッピングすることができるマッピングを含んでもよい。便利のために、ここで（ｎ，ｍ）＋（ｐ，ｑ）を用いて前記送信パターンを記述し、その中に、ｎとｍは、それぞれ、第一電力レベルを採用する２つのＵＥのランキング（ストリーム数）であり、ｐとｑは、それぞれ、第二電力レベルを採用する２つのＵＥのランキングである。注意すべきであることは、第一電力レベルについて、ＵＥが１つだけある時に、上記（ｎ，ｍ）を（ｎ’）と簡略化し、その中に、ｎ’は、該電力レベルを採用するＵＥのランキングであり、同様に、第二電力レベルについて、ＵＥが１つだけある時に、上記（ｐ，ｑ）を（ｐ’）と簡略化し、この中に、ｐ’は、該電力レベルを採用するＵＥのランキングである。下表２は、これらの９種類の送信パターンを示す。
【００２８】
【表２】
2016163355.tif 000004
【００２９】
もちろん、上記全ての組合と対応のＳＩＣ順番とのマッピングを含むこと以外に、前記規則は、上記全ての組合の中の一部だけの組合と対応のＳＩＣ順番とのマッピングを含んでもよい。
【００３０】
多種の方式を用いて前記規則を定義することができる。下表３は、第一方式で定義される規則を示す。表３の毎一の行は、１つのストリームに用いられ、つまり、毎一の行で示されるアンテナポートとスクランブリング識別子は、ＵＥに割り当てる１つのストリームに用いられる。注意すべきことは、表３の第二行でのＳＩＣ順番“１又は２”は、該行に対応するストリームと前一行（第一行）に対応するストリーム（そのＳＩＣ順番が１である）とが同一のＵＥに属すると、第二行に対応するストリームのＳＩＣ順番が第一行と同じである（１である）ことを意味し、逆に、第二行に対応するストリームと第一行に対応するストリームとが異なるＵＥに属すると、第二行に対応するストリームのＳＩＣ順番が２であることを意味する。同様に、表３の第四行でのＳＩＣ順番“２又は３”は、第四行に対応するストリームと前一行（第三行）に対応するストリーム（そのＳＩＣ順番が２である）とが同一のＵＥに属すると、第四行に対応するストリームのＳＩＣ順番が第三行と同じである（２である）ことを意味し、逆に、第四行に対応するストリームと前一行に対応するストリームとが異なるＵＥに属すると、第四行に対応するストリームのＳＩＣ順番が３であることを意味する。
【００３１】
【表３】
2016163355.tif 000005
【００３２】
以下、図３−５に示される例を参照しながら、基地局が表３で示される規則に従って、ＵＥに割り当てるストリーム数と、アンテナポートと、スクランブリング識別子とを確定する方法を記述する。
【００３３】
図３に示される例において、基地局は、基地局に近いＵＥ１のＳＩＣ順番が２であって基地局から遠いＵＥ２のＳＩＣ順番が１であるように確定すると想定される。基地局は、それぞれ、ＵＥ１とＵＥ２に１つのストリームを割り当てる（つまり、ＵＥ１とＵＥ２のランキングは、両方とも１である）。その後に、基地局は、これらの２つのストリームに対して、表３で示される規則に従ってその対応のアンテナポートとスクランブリング識別子を確定することができる。具体的に、基地局は、まず基地局から遠いＵＥ２に割り当てる１つのストリームに対して、その対応のアンテナポートとスクランブリング識別子を確定する。表３から分かるように、ＳＩＣ順番１に対応するアンテナポートが７であり、スクランブリング識別子が０であり、このために、基地局は、アンテナポート７とスクランブリング識別子０をＵＥ２に割り当てる（具体的に、ＵＥ２に割り当てた１つのストリーム）。つまり、基地局は、 “１つのストリーム（又は１層）、アンテナポート７、及びスクランブリング識別子０”をＵＥ２に割り当てる。その後に、基地局は、基地局に近いＵＥ１に割り当てる１つのストリームに対して、その対応のアンテナポートとスクランブリング識別子を確定する。表３から分かるように、ＳＩＣ順番２に対応するアンテナポートが８であり、スクランブリング識別子が０であり、このために、基地局は、アンテナポート８とスクランブリング識別子０をＵＥ１に割り当てる。つまり、基地局は、“１つのストリーム（又は１層）、アンテナポート８、及びスクランブリング識別子０”をＵＥ１に割り当てる（具体的に、ＵＥ１に割り当てた１つのストリーム）。
【００３４】
図４で示される例において、基地局は、基地局に近いＵＥ１とＵＥ２のＳＩＣ順番がそれぞれ３と２であり、基地局から遠いＵＥ３のＳＩＣ順番が１であるように確定すると想定され、その中に、ＵＥ１とＵＥ２のためのデータがＭＵ  ＭＩＭＯで送信される。基地局は、ＵＥ１とＵＥ２のそれぞれに１つのストリームを割り当てる（ＵＥ１とＵＥ２のランキングが両方とも１である）、且つＵＥ３に２つのストリームを割り当てる（ＵＥ３のランキングが２である）。その後に、基地局は、これらの3つのストリームに対して、表３で示される規則に従ってその対応のアンテナポートとスクランブリング識別子を確定することができる。具体的に、まず、基地局は、基地局から遠いＵＥ３に割り当てる２つのストリームに対して、対応のアンテナポートとスクランブリング識別子を確定する。これらの２つのストリームは、両方ともＵＥ３に用いられるので、これらが同じＳＩＣ順番“１”を有する。表３から分かるように、これらの２つのストリームは、「アンテナポート７、スクランブリング識別子０」（第一行）と「アンテナポート８、スクランブリング識別子０」（第二行）に対応し、このために、基地局は、アンテナポート７と８、及びスクランブリング識別子０をＵＥ３に割り当てることができる。つまり、基地局は、「２つのストリーム（又は２層）、アンテナポート７と８、及びスクランブリング識別子０」をＵＥ３に割り当てる。その後に、基地局は、それぞれＵＥ１とＵＥ２に割り当てる２つのストリームに対して、対応のアンテナポートとスクランブリング識別子を確定する。表３から分かるように、ＳＩＣ順番２に対応するアンテナポートが７であってスクランブリング識別子が１であり、ＳＩＣ順番３に対応するアンテナポートが８であってスクランブリング識別子が１であり、そのために、基地局は、アンテナポート７とスクランブリング識別子１をＵＥ２に割り当てて、且つアンテナポート８とスクランブリング識別子１をＵＥ１に割り当てる。つまり、基地局は、「１つのストリーム（又は１層）、アンテナポート７及びスクランブリング識別子１」をＵＥ２に割り当てて、且つ「１つのストリーム（又は１層）、アンテナポート８、及びスクランブリング識別子１」をＵＥ１に割り当てる。
【００３５】
図５に示される例において、基地局は、基地局に近いＵＥ１のＳＩＣ順番が２であり、基地局から遠いＵＥ２のＳＩＣ順番が１であるように確定すると想定される。基地局は、２つのストリームをＵＥ１に割り当てて（ＵＥ１のランキングが２である）、且つ、１つのストリームをＵＥ２に割り当てる（ＵＥ２のランキングが１である）。その後に、基地局は、これらの３つのストリームに対して、表３で示される規則に従ってその対応のアンテナポートとスクランブリング識別子を確定する。具体的に、まず、基地局は、基地局から遠いＵＥ２に割り当てる１つのストリームに対して、その対応のアンテナポートとスクランブリング識別子を確定する。図３と類似する方式に従って、基地局は、「１つのストリーム（又は１層）、アンテナポート７、及びスクランブリング識別子０」をＵＥ２に割り当てる。そして、基地局は、基地局に近いＵＥ１に割り当てる２つのストリームに対して、その対応のアンテナポートとスクランブリング識別子を確定する。表３から分かるように、ＳＩＣ順番２は、「アンテナポート８、スクランブリング識別子０」（第二行）と「アンテナポート７、スクランブリング識別子１」（第三行）とに対応し、このために、基地局は、アンテナポート８とスクランブリング識別子０、及びアンテナポート７とスクランブリング識別子１を、ＵＥ１に割り当てる。つまり、基地局は、「２つのストリーム（又は１層）、アンテナポート８とスクランブリング識別子０、及びアンテナポート７とスクランブリング識別子１」をＵＥ１に割り当てる。注意すべきことは、図５で示される例において、ＵＥ１に割り当てる２つのストリームの間に、アンテナポートが異なり（７と８）、スクランブリング識別子も異なり（０と１）、表１では、同一のＵＥに割り当てる２つのストリームの間に、スクランブリング識別子だけが異なるが、アンテナポートが同じであるゆえ、図５に示された例は、表１で示される下りリンクスケジューリング情報（格式２Ｃ）と互換性がない。
【００３６】
上記の第一方式で定義される規則以外に、下表４で示されるように、第二方式で前記規則を定義してもよい。
【表４】
2016163355.tif 000006
【００３７】
基地局は、上文で表３を参照しながら記述した方式と類似の方式に従って、表４に従ってストリーム数、アンテナポート、及びスクランブリング識別子をＵＥに割り当てることで、ＵＥが前記ストリーム数、アンテナポート、及びスクランブリング識別子に従って該ＵＥのＳＩＣ順番を確定することができるようにし、ここで重複の説明を省略する。
【００３８】
注意すべきことは、上表３に示される規則の各条目（行）の間に、アンテナポートは、スクランブリング識別子より優先して変更し、つまり、アンテナポートを先に変更してから、スクランブリング識別子を変更する。上記表４で示される規則の各条目（各行）の間に、スクランブリング識別子は、アンテナポートより優先して変更し、つまり、スクランブリング識別子を先に変更してから、アンテナポートを変更する。表１で示されるＬＴＥ−Ａｄｖａｎｃｅｄシステムで定義される下りリンクスケジューリング情報（格式２Ｃ）に規定されるストリーム数、アンテナポート、及びスクランブリング識別子の組合を見ると分かるように、ＵＥに２つのストリームを割り当てる場合に、下りリンクスケジューリング情報（格式２Ｃ）に規定される前記組合についても、アンテナポートがスクランブリング識別子より優先して変更する。このために、表４で示される規則と比べて、表３で示される規則は、ＬＴＥ−Ａｄｖａｎｃｅｄシステムで定義される下りリンクスケジューリング情報（格式２Ｃ）に対する変更が小さい。従来の下りリンクスケジューリング情報をできるだけ小さく変更する視点から考えると、表３で示される規則を使用することが好ましい。もちろん、表３と表４で示される規則以外に、他の形式の規則を使用してもよい。
【００３９】
図２に戻り、送信部２０２は、ＵＥに下りリンクスケジューリング情報を送信して、基地局（具体的に、スケジューリング部２０１）のスケジューリング結果をＵＥに通知する。
【００４０】
前記下りリンクスケジューリング情報は、上文に述べた前記下りリンクリソースブロックを指示する情報と、前記ストリーム数、アンテナポート、及びスクランブリング識別子を指示する情報とを含んでもよい。具体的に、基地局がＵＥに割り当てるストリーム数、アンテナポート、及びスクランブリング識別子の組合と、上記下りリンクスケジューリング情報（２Ｃ）に規定されるストリーム数、アンテナポート、及びスクランブリング識別子の組合との間に互換性がある場合に、送信部２０１によって送信される下りリンクスケジューリング情報は、前記下りリンクスケジューリング情報（格式２Ｃ）と同じな格式を採用してもよく、できるだけ従来の下りリンクスケジューリング情報を使用することで、新たなシグナリングオーバーヘッドの増加を回避する。もちろん、基地局は、格式２Ｃ以外に、他の格式を採用して前記下りリンクスケジューリング情報を送信してもよい。一方、基地局がＵＥに割り当てるストリーム数、アンテナポート、及びスクランブリング識別子の組合と、上記下りリンクスケジューリング情報（２Ｃ）中規定されるストリーム数、アンテナポート、及びスクランブリング識別子の組合との間に互換性がなければ、前記下りリンクスケジューリング情報は、前記下りリンクリソースブロックを指示する情報と、前記ストリーム数、アンテナポート、及びスクランブリング識別子を指示する情報とを含めば、送信部２０１は、任意の他の格式を採用して前記下りリンクスケジューリング情報を送信しても結構である。
【００４１】
上記情報以外に、送信部２０２によって送信される下りリンクスケジューリング情報は、上文に述べた該ＵＥのためのプリコーディング行列に関する情報と、該ＵＥのためのＭＣＳに関する情報と、該ＵＥのためのＤＭＲＳに関する情報との少なくとも一つをさらに含んでもよい。
【００４２】
また、送信部２０１は、専用シグナリングによって、該ＵＥのペアＵＥのＭＣＳに関する情報を、該ＵＥに送信してもよい。前記専用シグナリングは、必要により任意の適切の形式を採用することができる。
【００４３】
また、送信部２０２は、復調参照信号（ＤＭＲＳ）をＵＥに送信してもよく、ＵＥが該ＤＭＲＳの電力に従って該ＵＥに割り当てる送信電力を確定することができるようにする。具体的に、送信部２０２は、ＵＥに割り当てる送信電力と各ＵＥのための総送信電力との比率を、該ＵＥのためのＤＭＲＳの送信電力と各ＵＥのためのＤＭＲＳの総送信電力との比率とすることにより、該ＵＥのためのＤＭＲＳの送信電力を確定し、その後に該送信電力で前記ＤＭＲＳを送信する。
【００４４】
このように、本発明の実施例の基地局によれば、下りリンクスケジューリングを行い、且つ下りリンクスケジューリング情報及び／又は他の情報によって、下りリンクスケジューリング結果をＵＥに通知することができる。ＵＥの下りリンクリソースブロックでのＳＩＣ順番は、該ＵＥに割り当てるストリーム数、アンテナポート、及びスクランブリング識別子の組合によって暗示に通知されるものであり、且つＵＥに割り当てる送信電力も暗示に通知されるものであり、このために、これらの２種類の情報を通知するためには、追加のシグナリングの増加が必要されなく、それによって、シグナリングオーバーヘッドの増加をできるだけ回避する。また、ある場合に、前記下りリンクスケジューリング情報は、従来のシステムで定義される下りリンクスケジューリング情報（格式２Ｃ）の格式を採用してもよく、それによって、従来のシステムをできるだけ少なく変更する。
【００４５】
以下、図６を参照しながら、本発明の実施例にかかる移動局を記述する。図６は、該移動局のブロック図を示す。図６に示すように、移動局６００は、受信部６０１と確定部６０２を含む。これらの２つの部以外に、移動局６００は、他の部を含んでもよく、例えば基地局との通信を実現するための他の部を含んでもよく、しかし、これらの部は、本発明の実施例の内容と無関係であるので、ここでその図示と記述を省略する。
【００４６】
受信部６０１は、基地局から送信される下りリンクスケジューリング情報を受信する。上文に述べたように、該下りリンクスケジューリング情報は、該移動局に割り当てる下りリンクリソースブロックを指示する情報（該リソースブロックの位置情報）と、該移動局に割り当てるストリーム数、アンテナポート、及び該アンテナポートのためのスクランブリング識別子を指示する情報とを含む。また、前記下りリンクスケジューリング情報は、該移動局のためのプリコーディング行列に関する情報と、該移動局のためのＭＣＳに関する情報と、該移動局のためのＤＭＲＳに関する情報（該ＤＭＲＳの位置情報）との少なくとも１つを含んでもよい。
【００４７】
基地局が例えばＲＲＣシグナリングなどの準静的なシグナリングを使用して上文に述べた規則を送信する場合に、受信部６０１は、該準静的なシグナリングによって前記規則を受信してもよい。また、受信部６０１は、上文に述べた専用シグナリングによって、基地局から送信される該移動局のペア移動局のＭＣＳに関する情報を受信してもよい。
【００４８】
また、受信部６０１は、基地局から送信される復調参照信号（ＤＭＲＳ）を受信してもよい。例えば、受信部６０１は、前記該移動局のためのＤＭＲＳに関する情報によって、該ＤＭＲＳを受信してもよい。その後に、受信部６０１は、直接又は電力測量部（図示せず）を通じて該ＤＭＲＳの受信電力を測量し、且つそれを確定部６０２に通知してもよい。
【００４９】
確定部６０２は、受信部６０１で受信される各種の情報に従って、基地局で行われる下りリンクスケジューリングの結果を確定することができる。
【００５０】
具体的に、確定部６０２は、前記下りリンクスケジューリング情報に含まれる該ＵＥに割り当てる前記ストリーム数、アンテナポート、及びスクランブリング識別子の組合に基いて、該移動局の下りリンクリソースブロックでのＳＩＣ順番を確定してもよい。本発明の実施例において、確定部６０２は、上文に述べた基地局と該移動局の両方ともに既知される規則に従って、前記ストリーム数、アンテナポート、及びスクランブリング識別子の組合に基いて、前記ＳＩＣ順番を確定する。上文に述べたように、前記規則は、前記ストリーム数が１である時にアンテナポートとスクランブリング識別子との全ての組合と対応のＳＩＣ順番とのマッピング、及び前記ストリーム数が２である時にアンテナポートとスクランブリング識別子との全ての組合と対応のＳＩＣ順番とのマッピングを含む。選択的に、前記規則は、上記全ての組合の中の一部だけの組合と前記ＳＩＣ順番のマッピングを含んでもよい。例えば、図３で示される例において、ＵＥ２に対して、下りリンクスケジューリング情報に含まれる前記ストリーム数、アンテナポート、及びスクランブリング識別子の組合が「１つのストリーム（又は１層）、アンテナポート７、及びスクランブリング識別子０」であると検出すると、確定部６０２は、表３で示される規則に従ってＵＥ２のＳＩＣ順番が１であると確定する。ＵＥ１に対して、下りリンクスケジューリング情報に含まれる前記ストリーム数、アンテナポート、及びスクランブリング識別子の組合が「１つのストリーム（又は１層）、アンテナポート８、及びスクランブリング識別子０」であると検出すると、確定部６０２は、表３で示される規則に従ってＵＥ１のＳＩＣ順番が２であると確定する。図４で示される例において、ＵＥ３に対して、「２つのストリーム（又は２層）、アンテナポート７と８、及びスクランブリング識別子０」であると検出すると、確定部６０２は、表３で示される規則に従ってＵＥ３のＳＩＣが１であると確定する。類似して、ＵＥ２とＵＥ１に対して、確定部６０２は、表３で示される規則に従って、それらのＳＩＣ順番がそれぞれ２と３であると確定する。類似して、図５で示される例示において、ＵＥ２に対して、「１つのストリーム（又は１層）、アンテナポート７、及びスクランブリング識別子０」であると検出すると、確定部６０２は、ＵＥ２のＳＩＣ順番が１であると確定する。ＵＥ１に対して、「２つのストリーム（又は１層）、アンテナポート８とスクランブリング識別子０、及びアンテナポート７とスクランブリング識別子１」であると検出すると、確定部６０２は、ＵＥ１のＳＩＣ順番が２であると確定する。
【００５１】
確定部６０２は、前記下りリンクリソースブロックを指示する情報に基いて、該移動局に割り当てる下りリンクリソースブロックの位置を確定してもよい。また、確定部６０２は、前記該移動局のためのプリコーディング行列に関する情報、該移動局のためのＭＣＳに関する情報、及び／又は該移動局のためのＤＭＲＳに関する情報に従って、前記プリコーディング行列、ＭＣＳ及び／又は該移動局のためのＤＭＲＳの位置（該位置が受信部６０１に提供されて、前記ＤＭＲＳを受信するのに使われる）を確定してもよい。確定部６０２は、受信部６０１で受信される該移動局のペア移動局のＭＣＳに関する情報に従って、前記ペア移動局のＭＣＳを確定してもよい。確定部６０２が上記情報を確定する具体的な方法は、本分野で公知的であり、ここで、簡潔のためにその説明を省略する。
【００５２】
また、確定部６０２は、受信部６０１によって提供されるＤＭＲＳの受信電力に従って、該移動局に割り当てる送信電力を確定してもよい。例えば、確定部６０２は、該ＤＭＲＳの電力と各移動局のためのＤＭＲＳの総電力との比値を、該移動局に割り当てる送信電力と各移動局のための総送信電力との比値として、それによって、該移動局に割り当てる送信電力を確定してもよい。
【００５３】
上記の基地局のスケジューリング結果を反映する情報が確定された後に、移動局は、前記情報を使用してユーザデータの受信と復調を行うことで、基地局との通信を実現してもよい。
【００５４】
以下、図７を参照しながら、本発明の実施例にかかる基地局によって実行される下りリンクスケジューリング方法を説明する。図７は、該下りリンクスケジューリング方法のフローチャートを示す。
【００５５】
図７に示すように、ステップＳ７０１では、下りリンクリソースブロックをＵＥに割り当てて、且つストリーム数、アンテナポート、及び該アンテナポートのためのスクランブリング識別子をＵＥに割り当てることで、ＵＥに割り当てる前記ストリーム数、アンテナポート、及びスクランブリング識別子の組合は、該ＵＥの下りリンクリソースブロックでのＳＩＣ順番を確定することができる。
【００５６】
具体的に、基地局は、上文に述べた方式に従って、それぞれの下りリンクリソースブロックに対して、各ＵＥに対してスケジューリングを行うことで、どれらのＵＥのためのデータを該リソースブロックに多重するかを確定し、つまり、それぞれのＵＥに割り当てる下りリンクリソースブロックを確定することができる。基地局は、上文に述べた方式に従って、それぞれのリソースブロックに多重される各ＵＥのためのデータの復調順番（つまり、各ＵＥの該リソースブロックでのＳＩＣ順番）、各ＵＥに割り当てる送信電力とＭＣＳ、それぞれのＵＥのペアＵＥのＭＣＳ、及びそれぞれのＵＥのためのＤＭＲＳの位置を確定してもよい。
【００５７】
本発明の実施例において、基地局は、ストリーム数、アンテナポート、及び該アンテナポートのためのスクランブリング識別子をそれぞれのＵＥに割り当てることで、ＵＥに割り当てる前記ストリーム数、アンテナポート、及びスクランブリング識別子の組合は、該ＵＥの下りリンクリソースブロックでのＳＩＣ順番を確定することができる。換言すれば、スケジューリング部２０１は、それぞれのＵＥの下りリンクリソースブロックでのＳＩＣ順番に従って、ストリーム数、アンテナポート、及びスクランブリング識別子を該ＵＥに割り当てることで、ＵＥ側で前記ストリーム数、アンテナポート、及びスクランブリング識別子の組合に従って、該ＵＥの下りリンクリソースブロックでのＳＩＣ順番を確定することができる。
【００５８】
具体的に、基地局は、上文に述べた事前定義の規則に従って、前記ストリーム数、アンテナポート、及びスクランブリング識別子をＵＥに割り当ててもよい。前記規則は、ＵＥに割り当てる前記ストリーム数、アンテナポート、及びスクランブリング識別子の組合と該ＵＥの下りリンクリソースブロックでのＳＩＣ順番との間のマッピング関係を建てるためのものであり、且つ基地局とＵＥの両方ともに既知される規則であってもよい。前記規則は、事前に定義されて基地局とＵＥに記憶されてもよい。選択的に、基地局において前記規則を定義し、且つ例えば、無線リソース制御（ＲＲＣ）シグナリングなどの準静的なシグナリングによってＵＥに送信することで、該規則をＵＥに知らせる。基地局は、定期又は非定期に前記事前定義の規則を更新し、且つ前記準静的なシグナリングによって更新後の規則をＵＥに送信してもよい。
【００５９】
より具体的に、前記規則は、ＵＥに割り当てるストリーム数が１である時にアンテナポートとスクランブリング識別子との全ての組合と対応のＳＩＣ順番（即、下りリンクリソースブロックにおけるＵＥのＳＩＣ順番）との間のマッピング、及びＵＥに割り当てるストリーム数が２である時にアンテナポートとスクランブリング識別子との全ての組合と対応のＳＩＣ順番との間のマッピングを含んでもよい。前記全ての組合は、例えば、上文に述べた９種類の送信パターンに対応する組合である。もちろん、前記規則は、上記の全ての組合の一部だけの組合と対応のＳＩＣ順番とのマッピングを含んでもよい。
【００６０】
多種の方式を用いて前記規則を定義してもよい。例えば、上表３又は上表４で示される規則を定義してもよく、又は、必要により他の形式の規則を定義してもよい。前記規則は、上文に表３と表４及び図３−５を参照しながら記述した規則と同じであり、且つ基地局は、上文に述べた方式と同じな方式のとおりに、前記規則に従って前記ストリーム数、アンテナポート、及びスクランブリング識別子をＵＥに割り当てるので、ここで詳細な記述を省略する。
【００６１】
続いて、図７を参照して、ステップＳ７０２では、下りリンクスケジューリング情報をＵＥに送信することで、基地局の下りリンクスケジューリング結果をＵＥに通知してもよい。
【００６２】
前記下りリンクスケジューリング情報は、上文に述べた前記下りリンクリソースブロックを指示する情報と、前記ストリーム数、アンテナポート、及びスクランブリング識別子を指示する情報とを含んでもよい。基地局がＵＥに割り当てるストリーム数、アンテナポート、及びスクランブリング識別子の組合と、上文に述べた下りリンクスケジューリング情報（２Ｃ）で規定されるストリーム数、アンテナポート、及びスクランブリング識別子の組合との間に互換性がある場合に、前記下りリンクスケジューリング情報は、下りリンクスケジューリング情報（格式２Ｃ）と同じな格式を採用してもよい。もちろん、前記下りリンクスケジューリング情報は、格式２Ｃ以外の他の格式を採用してもよい。一方、基地局がＵＥに割り当てるストリーム数、アンテナポート、及びスクランブリング識別子の組合と、上記下りリンクスケジューリング情報（２Ｃ）に規定されるストリーム数、アンテナポート、及びスクランブリング識別子の組合との間に互換性がないと、前記下りリンクスケジューリング情報は、前記下りリンクリソースブロックを指示する情報と、前記ストリーム数、アンテナポート、及びスクランブリング識別子を指示する情報を含めば、任意の他の格式を採用して前記下りリンクスケジューリング情報を送信してもよい。
【００６３】
上記情報以外に、ステップＳ７０２で送信される下りリンクスケジューリング情報は、上文に述べた該ＵＥのためのプリコーディング行列に関する情報と、該ＵＥのためのＭＣＳに関する情報と、該ＵＥのためのＤＭＲＳに関する情報との少なくとも１つを含んでもよい。
【００６４】
また、基地局は、専用シグナリングによって、該ＵＥのペアＵＥのＭＣＳに関する情報をＵＥに送信してもよい。前記専用シグナリングは、必要により任意の適切な形式を採用してもよい。
【００６５】
また、基地局は、ＤＭＲＳをＵＥに送信することで、該ＵＥが該ＤＭＲＳの電力に従って該ＵＥに割り当てる送信電力を確定してもよい。この場合に、基地局は、上文に述べた方式に従ってＤＭＲＳの送信電力を確定し、且つ該送信電力で前記ＤＭＲＳを送信する。
【００６６】
このように、前記下りリンクスケジューリング方法によれば、下りリンクスケジューリングを行い、且つ下りリンクスケジューリング情報及び／又は他の情報によって下りリンクスケジューリング結果をＵＥに通知してもよい。ＵＥの下りリンクリソースブロックでのＳＩＣ順番及びＵＥに割り当てる送信電力は、暗示にＵＥに通知されるので、追加のシグナリングでこれらの２つの参数を通知する必要がなく、これによって、シグナリングオーバーヘッドの増大を回避する。また、ある場合に、前記下りリンクスケジューリング情報は、従来のシステムで定義される下りリンクスケジューリング情報（格式２Ｃ）の格式を採用することで、従来のシステムをできるだけ少なく変更する。
【００６７】
以下、図８を参照しながら、本発明の実施例にかかる移動局によって実行される、下りリンクスケジューリング結果を取得する方法のフローチャートを記述する。
【００６８】
図８に示すように、ステップＳ８０１では、基地局によって送信される下りリンクスケジューリング情報を受信してもよい。上文に述べたように、該下りリンクスケジューリング情報は、該移動局に割り当てる下りリンクリソースブロックを指示する情報と、該移動局に割り当てるストリーム数、アンテナポート、及び該アンテナポートのためのスクランブリング識別子を指示する情報とを含んでもよい。前記下りリンクスケジューリング情報は、該移動局のためのプリコーディング行列に関する情報と、該移動局のためのＭＣＳに関する情報と、該移動局のためのＤＭＲＳに関する情報との少なくとも１つを含んでもよい。
【００６９】
基地局が例えばＲＲＣシグナリングなどの準静的なシグナリングによって、前記ストリーム数、アンテナポート、及びスクランブリング識別子の組合と該移動局のＳＩＣ順番との間のマッピングを確定するための規則を送信する場合に、移動局は、該準静的なシグナリングを受信することで前記規則を受信してもよい。また、移動局は、上文に述べた専用シグナリングによって、基地局で送信される該移動局のペア移動局のＭＣＳに関する情報を受信してもよい。移動局は、基地局によって送信されるＤＭＲＳを受信し、且つ前記ＤＭＲＳの受信電力を測量して後続の操作のために用いる。
【００７０】
ステップＳ８０２では、移動局は、前記下りリンクスケジューリング情報に含まれる該ＵＥに割り当てる前記ストリーム数、アンテナポート、及びスクランブリング識別子の組合に基いて、該移動局の下りリンクリソースブロックでのＳＩＣ順番を確定してもよい。本発明の実施例において、移動局は、上文に述べた基地局と該移動局の両方ともに既知される規則に従って、前記ストリーム数、アンテナポート、及びスクランブリング識別子の組合に基いて、前記ＳＩＣ順番を確定してもよい。前記規則と、移動局が前記規則に従ってＳＩＣ順番を確定する方式との両方は、上文に図６を参照しながら記述したものと同じであるので、ここで簡潔のためにその記述を省略する。
【００７１】
移動局は、前記下りリンクリソースブロックを指示する情報に基いて、該移動局に割り当てる下りリンクリソースブロックの位置を確定する。また、移動局は、前記下りリンクスケジューリング情報に含まれる、該移動局のためのプリコーディング行列に関する情報、該移動局のためのＭＣＳに関する情報、及び／又は該移動局のためのＤＭＲＳに関する情報に従って、前記プリコーディング行列、ＭＣＳ及び／又は該移動局のためのＤＭＲＳの位置（前記ＤＭＲＳの受信に用いられる）を確定してもよい。また、移動局は、該移動局のペア移動局のＭＣＳに関する情報に従って、前記ペア移動局のＭＣＳを確定してもよい。移動局が上記情報を確定する具体的な方法は、本分野に公知的であり、ここで簡潔のためにその記述を省略する。
【００７２】
また、移動局は、受信されたＤＭＲＳの電力に従って、該移動局に割り当てる送信電力を確定してもよい。例えば、移動局は、上文に述べた方式に従って、該移動局に割り当てる送信電力を確定してもよく、ここで重複の記述を省略する。
【００７３】
上記方法によれば、ＮＯＭＡとダイナミックＳＵ／ＭＵ  ＭＩＭＯを組み合わせて使用する無線通信システムにおいて、移動局は、基地局によって実行される下りリンクスケジューリング結果を知ることで、知った情報に従って基地局との通信を実現する。
【００７４】
本発明の実施例にかかる上記基地局、移動局、及び各方法を利用し、下りリンクスケジューリング情報に含まれる移動局に割り当てるストリーム数、アンテナポート、及び該アンテナポートのためのスクランブリング識別子の組合によって、移動局にそのＳＩＣ順番を暗示に通知する。また、ＤＭＲＳの電力によって、移動局に割り当てる送信電力を、移動局に暗示に通知してもよい。このように、基地局は、専用のシグナリングを使用して前記ＳＩＣ順番と送信電力を通知する必要がなく、それによって、シグナリングオーバーヘッドをできるだけ小さく増加する場合に、ＮＯＭＡとダイナミックＳＵ／ＭＵ  ＭＩＭＯを組み合わせて使用する無線通信システムに対応することができる。そして、ある場合に、従来の下りリンクスケジューリング情報を使用して、ある情報を送信してもよく、それによって、従来の無線通信システム中のシグナリングをできるだけ小さく変更する。
【００７５】
本発明の例示の実施例を示して記述したが、当業者にとっては、請求の範囲及びその等価物で限定される本発明の範囲と精神を脱逸しない限り、これらの例示の実施例に対して、色んな形式と詳細との変化をすることができることが理解すべきである。
【図１】
2016163355.tif 000007
【図２】
2016163355.tif 000008
【図３】
2016163355.tif 000009
【図４】
2016163355.tif 000010
【図５】
2016163355.tif 000011
【図６】
2016163355.tif 000012
【図７】
2016163355.tif 000013
【図８】
2016163355.tif 000014